(57)【要約】      （修正有）【課題】構成が簡略であって安価に制作されるとともに、選別処理能力に優れるフィルター機能を備えるバケット装置を提供する。【解決手段】バケット本体２と、バケット本体２をアームに取り付けるブラケット５とからなるバケット装置１において、バケット本体２とブラケット５とが分離配置され、バケット本体２にフィルター部材１５が設けられ、ブラケット５にバケット本体２を搖動させる搖動付与手段１２が配置される。【選択図】図２
0003219274.tif 000002
【実用新案登録請求の範囲】
【請求項１】
バケット本体と、前記バケット本体をアーム側に取り付けるブラケットとからなるバケット装置において、
前記バケット本体と前記ブラケットとが分離配置され、
前記バケット本体の下面から背面の全面にわたってフィルター部が設けられ、
前記ブラケットに前記バケット本体を搖動させる搖動部が配置されてなることを特徴とするバケット装置。
【請求項２】
前記搖動部が、モータとカム機構とから構成される請求項１記載のバケット装置。
【請求項３】
前記搖動部が、油圧シリンダー機構により構成される請求項１記載のバケット装置。
【考案の詳細な説明】
【技術分野】
【０００１】  この考案は、ショベルカーのアームに接続使用されるバケット装置に関する。
【背景技術】
【０００２】  建設現場等においては廃材や土石をその大きさによって選別処理する場合があり、その選別処理を手作業で行うと多大な手間がかかることとなる。したがって、従来においては、例えば、ショベルカーのアームに接続使用されるバケットに網状のフィルター部材を搖動可能に設けるとともに、そのフィルター部材をバケットに装着されたモータにより搖動させ、小形物をフィルター部材を通過落下させて選別処理を行っていた。
【考案の概要】
【考案が解決しようとする課題】
【０００３】  しかしながら、上記従来品はバケットに搖動可能にフィルター部材を設けるため、フィルター部材にローラを取り付け、さらに、バケットにローラの移動用ガイドレールを取り付ける必要があり、その構成が複雑となって組み立てに手間がかかるとともに製品が高価となった。また、衝撃によってローラや移動用ガイドレールが損傷したり、長期の使用によって消耗した場合には、それら部材を取り換える必要があり、この点においても手間がかかるとともに費用を要することとなった。さらに、フィルター部材を移動用ガイドレールに取り付けるのでその大きさが制限され、選別処理能力が十分でないという問題もあった。【０００４】  この考案は上記の事情に鑑みて行ったもので、構成が簡略であって安価に制作されるとともに選別処理能力に優れる、フィルター機能を備えるバケット装置を提供することを目的とする。
【課題を解決するための手段】
【０００５】  この考案では、バケット本体と、前記バケット本体をアームに取り付けるブラケットとからなるバケット装置において、前記バケット本体と前記ブラケットとが分離配置され、前記バケット本体にフィルター部材が設けられ、前記ブラケットに前記バケット本体を搖動させる搖動付与手段が配置されてなる構成とした。【０００６】  上記構成によれば、ブラケットに配置される搖動付与手段によりフィルター部材が設けられたバケット本体が搖動されて、フィルター機能が発揮される。フィルター部材が設けられたバケット本体が搖動される構成とされることで、構成が簡略となって安価に制作される。【０００７】  フィルター部材が、バケット本体の下面から背面の全面にわたって設けられることで、多量の廃材や土石等における選別処理が可能となり、フィルター能力に優れるものとなる。搖動付与手段はモータとカム機構とから構成され、また、油圧シリンダー機構により構成される。
【考案の効果】
【０００８】  この考案によれば、構成が簡略であって安価に制作されるとともに選別処理能力に優れる、フィルター機能を備えるバケット装置が得られる。
【図面の簡単な説明】
【０００９】
【図１】  この考案のバケット装置の実施形態の正面側斜視図
【図２】  この考案のバケット装置の実施形態の背面側斜視図
【図３】  この考案のバケット装置の実施形態の使用状態側面図
【図４】  この考案のバケット装置のブラケットの背面側斜視図
【図５】  この考案のバケット装置のブラケットの分解斜視図
【図６】  この考案のバケット装置のブラケットの背面図
【図７】  この考案のバケット装置の実施形態の動作説明図
【図８】  この考案のバケット装置の他の実施形態の正面側斜視図
【図９】  この考案のバケット装置の他の実施形態の背面側斜視図
【図１０】  この考案のバケット装置の他の実施形態の動作説明図
【考案を実施するための形態】
【００１０】  図１はこの考案のバケット装置の実施形態の正面側斜視図、図２は同背面側斜視図、図３は使用状態を示す側面図である。バケット装置１はバケット本体２と、バケット本体２をショベルカーのアーム３に取り付けるブラケット５とから構成されている。バケット本体２とブラケット５とは分離構成で、２か所の軸支部８、１０で互いが回動可能に軸支連結されている。ブラケット５の一方の側部６の外面にはモータ（搖動付与手段）１２が取り付けられ、バケット本体２の下面から背面にかけては網目構造のフィルター部材１５が装着され、フィルター部材１５はバケット本体２の下面から背面との全面にわたって広く設けられている。
【００１１】  図４はブラケット５の背面側斜視図、図５は同分解図、図６は同背面図である。モータ１２の駆動軸１７の端部２５は作動軸１８の一方の端部１９に嵌合固定され、その作動軸１８の太径の中間部１４に軸受１３を介して回動可能に軸支されて作動プレート２０が取り付けられている。作動軸１８の一方の端部１９は軸受３５を介して側部６に軸支され、他方の端部１５はブラケット５の他方の側部４に軸受３３を介して軸支されている。作動軸１８において端部１９と端部１５とは回転中心軸を同位置とし、端部１９と端部１５との回転中心軸は中間部１４の回転中心軸とはずれて位置している。２８はモータ１２の取り付け部材、３０のそれぞれは軸受３３、３５の取り付け部材、３２のそれぞれは軸受け１３の押さえ部材、３６のそれぞれは管状スペーサー、３４はカバー部材である。作動プレート２０はその端部に軸支孔４０を備え、その軸支孔４０にバケット本体２の連動軸４２が挿通され、この軸支位置が上記軸支部１０を構成する。連動軸４２はバケット本体２の上部に設けられた一対の取り付け板４３間に両端が支持固定されて取り付けられている。
【００１２】  以下、動作説明を行う。モータ１２が作動されてその駆動軸１７が回転すると、それに嵌合連結される作動軸１８が回転する。作動軸１８は端部１９、端部１５と中間部１４とがその回転中心軸がずれていることで回転に伴ってカム動作を繰り返し、この作動軸１８に連動して作動プレート２０が略往復動し、これに伴い作動プレート２０の端部に軸支されているバケット本体２の連動軸４２も往復動を行う。バケット本体２は軸支部８でブラケット５に軸支されていることで、モータ１２が継続作動されて連動軸４２が略往復動されると、図７に２点鎖線で示すように傾斜方向Ｋに沿って小刻みに搖動動作を繰り返す。これにより、バケット本体２のフィルター部材１５においてフィルター動作が行われることで、例えば、土石のフィルター動作においては、小形の土石がフィルター部材１５を通して落下し、所定形状以上の大きさの石のみがバケット本体２内に残る。
【００１３】    図８はバケット装置の他の実施形態の正面側斜視図、図９は同背面側斜視図である。この実施形態のバケット装置１では上記モータ１２に代えて油圧シリンダー（搖動付与手段）５０を用いている。油圧シリンター５０は、ブラケット５下部に固定配置された取り付け軸５５に取り付け端５１が軸支されることで取り付けられ、その作動ロッド５２の端部に設けられた軸支穴にバケット本体２の連動軸４２が挿通される。その他の構成は上記実施形態のものと同様であり、同様の要素には同じ番号を用いている。
【００１４】  以下、動作説明を行う。油圧シリンダー５０が作動されてその作動ロッド５２が往復動すると、作動ロッド５２に連動してバケット本体２の連動軸４２も略往復動し、バケット本体２が軸支部８でブラケット５に軸支されていることで、図１０の２点鎖線に示すように、バケット本体２は傾斜方向Ｋに沿って小刻みに搖動動作を繰り返す。このようにして、上記実施形態と同様に、バケット本体２のフィルター部材１５においてフィルター動作が行われる。
【符号の説明】
【００１５】  １    バケット装置
２    バケット本体
５    ブラケット
１２  モータ（搖動付与手段）
１５  フィルター部材
【図１】
0003219274.tif 000003
【図２】
0003219274.tif 000004
【図３】
0003219274.tif 000005
【図４】
0003219274.tif 000006
【図５】
0003219274.tif 000007
【図６】
0003219274.tif 000008
【図７】
0003219274.tif 000009
【図８】
0003219274.tif 000010
【図９】
0003219274.tif 000011
【図１０】
0003219274.tif 000012